(57)【要約】      （修正有）【課題】１つの器具で手の長さ、足の長さ、背丈の長さ（身長）の全部又はそのいずれか１つ以上を簡易かつ迅速に測定する手の長さ、足の長さ及び身長の測定器具を提供する。【解決手段】表面に目盛部と手形部３を表示する手のひら載置部５を設けた手の長さ測定部１と、表面に目盛部と足形部２３を表示する足の載置部２５を設けた足の長さ測定部２１と、足の載置部から足の載置部と直交する方向へ立設されかつ長手方向に目盛部３２を表示する背丈部３５を設けた身長測定部３１とを備え、手のひら載置部５に載置された手の長さ、足の載置部２５に載置された足の長さ、足の載置部に足を載置して位置する測定者の背丈を対応する目盛部３２によりそれぞれ測定する。【選択図】図１
0003180868.tif 000002
【実用新案登録請求の範囲】
【請求項１】
表面に目盛部と手形部を表示する手のひら載置部を設けた手の長さ測定部と、表面に目盛部と足形部を表示する足の載置部を設けた足の長さ測定部と、足の載置部から足の載置部と直交する方向へ立設されかつ長手方向に目盛部を表示する背丈部を設けた身長測定部とを備え、手のひら載置部に載置された手の長さ、足の載置部に載置された足の長さ、足の載置部に足を載置して位置する測定者の背丈を対応する目盛部によりそれぞれ手の長さ、足の長さ及び身長を測定する、手の長さ、足の長さ及び身長の測定器具。
【請求項２】
前記の手の長さ測定部と足の長さ測定部における目盛部は直交する複数の長さの目盛線と複数の幅の目盛線で格子状に構成され、長さの目盛線と幅の目盛線により手の長さと幅、足の長さと幅がそれぞれ測定される請求項１に記載の手の長さ、足の長さ及び身長の測定器具。
【請求項３】
前記の足の長さ測定部は足の載置部に立設された踵当て部を有し、足の載置部に載置された一対の足を踵当て部に当接させ、目盛部により足の長さを測定する請求項１に記載の手の長さ、足の長さ及び身長の測定器具。
【請求項４】
前記の手の載置部を含む手の長さ測定部が背丈部の前面部に設置されている請求項１に記載の手の長さ、足の長さ及び身長の測定器具。
【請求項５】
前記の手の長さ測定部は手のひら載置部から立設された手首の支持部を有し、手首の支持部が手のひら載置部へ下降する傾斜面である請求項１に記載の手の長さ、足の長さ及び身長の測定器具。
【請求項６】
前記の踵当て部が背丈部の一部として背丈部に含まれている請求項３に記載の手の長さ、足の長さ及び身長の測定器具。
【請求項７】
前記の傾斜面である手首の当接部は手の長さの目盛部に臨み、手の長さの目盛部において、手の長さを測定する基準線が手首の当接部の下端縁に一致する位置又は近接して表示されている請求項５に記載の手の長さ、足の長さ及び身長の測定器具。
【請求項８】
前記の傾斜面である手首の当接部は手の長さの目盛部に対して凹陥する凹状の湾曲面により形成されている請求項５に記載の手の長さ、足の長さ及び身長の測定器具。
【請求項９】
前記の手の長さの目盛部に対して凹陥する凹状の湾曲面は上端縁が下端縁より長くかつ上端縁から下端縁へ漸次短くなっている請求項８に記載の手の長さ、足の長さ及び身長の測定器具。
【考案の詳細な説明】
【考案の詳細な説明】
【技術分野】
【０００１】本考案は手の長さ、足の長さ及び身長を測定する器具、より詳しくは１つの器具で手の長さ、足の長さ、身長の全部又はそのいずれかを測定しうる手の長さ、足の長さ及び身長を測定する器具に関する【０００２】従来、手の長さ、足の長さ、身長をそれぞれ測定する器具があるが、１つの器具でこれらのすべて、又はそのうちの２つを測定する器具はなく、対応する各測定器具で個別に測定する必要があり、不便であった。手の長さ、足の長さ、身長を個別に測定する器具としては、例えば、次のようなものがある。【特許文献１】特開平１０−１８５５０１  発明の名称：手のサイズ測定装置
【特許文献２】特開２００５−２１６５７  発明の名称：幼児の足寸法測定装置
【特許文献３】実開平７−３４８０５  考案の名称：身長測定記録器
【０００３】特許文献１（特開平１０−１８５５０１）は手のサイズ測定装置であり、測定板にその幅方向の複数の測定線と、測定板の長手方向の複数の測定線とが交差状に描かれ、測定板には目盛りが描かれている。そして平板な測定板に手のひらを載置して手の長さを測定するのであるが、この装置では手のひら側が目視できないため、手の長さの測定の基準線に対応すべき手のひらの部位が判然とせず、正確な測定ができない。【０００４】特許文献２は足寸法測定装置であり、かかとに背面から当てる立壁と、立壁の下部から直交する方向に延び、幼児の足の裏に当てる足裏板とを含み、足裏板には、前記幼児の足の大きさを段階的に示す表示を含む。しかしこの場合、かかとに背面から当てる立壁を独立して設ける必要があり、また並置された両足のサイズを同時に測定することはできない。【０００５】  特許文献３は身長測定記録器であり、成長記録を記入できるようにした身長測定記録器に関するものであり、そこには固定金具を使い柱や壁面に取り付けられ、またチョウツウガイを利用して測定器の足の台を折り畳める身長測定器が示されている。しかしこの測定器は手の長さを測定する手の長さ測定部は備えていない。
【考案が解決しようとする課題】
【０００６】このような状況の下、本考案は利便性の高い測定器具を提供するものであり、すなわち１つの器具で手の長さ、足の長さ、背丈の長さ（身長）の全部又はそのいずれか１つ以上を簡易かつ迅速に測定する手の長さ、足の長さ及び身長の測定器具を提供することを解決課題とする。またそのなかでも特に正確な手の長さの測定が容易な手の長さ、足の長さ及び身長の測定器具を提供するものである。なおここでの手の長さ、足の長さ（広義）とは手、足の長さ（狭義）と手、足の幅の両者を含み、従って広義の手の長さ、足の長さの測定にはそれぞれ手の長さと幅の測定、足の長さと幅の測定が含まれる。
【課題を解決するための手段】
【０００７】上記の課題を解決するために、本考案にかかる手の長さ、足の長さ及び身長の測定器具では、表面に目盛部と手形部を表示する手のひら載置部を設けた手の長さ測定部と、表面に目盛部と足形部を表示する足の載置部を設けた足の長さ測定部と、足の載置部から足の載置部と直交する方向へ立設されかつ長手方向に目盛部を表示する背丈部を設けた身長測定部とを備え、手のひら載置部に載置された手の長さ、足の載置部に載置された足の長さ、足の載置部に足を載置して位置する測定者の背丈を対応する目盛部により手の長さ、足の長さ及び身長をそれぞれ測定する。
【０００８】すなわち目盛部のある手のひら載置部を設けた手の長さ測定部と、目盛部のある足の載置部を設けた足の長さ測定部と、目盛部を表示する背丈部により、手のひら載置部に載置された手の長さ、足の載置部に載置された足の長さ、足の載置部に足を載置して位置する測定者の背足がそれぞれ測定される。
【０００９】  また前記の測定器具において、手の長さ測定部と足の長さ測定部における目盛部は直交する複数の長さの目盛線と複数の幅の目盛線で格子状に構成され、長さの目盛線と幅の目盛線により手の長さと幅、足の長さと幅がそれぞれ測定される。すなわち手の長さ測定部と足の長さ測定部の目盛部では長さ目盛線と幅目盛線により手の長さと幅、足の長さと幅がそれぞれ測定される。
【００１０】また前記の測定器具において、足の長さ測定部は足の載置部に立設された踵当て部を有し、足の載置部に載置された一対の足を踵当て部に当接させ、目盛部により足の長さを測定する。すなわち足の長さ測定部は足の載置部の踵当て部を基準として一対の足の長さが測定される。
【００１１】  また前記の測定器具において、手の載置部を含む手の長さ測定部が背丈部の前面部に設置されている。すなわち手の長さ測定部は載置部と直交する方向へ立設された背丈部の前面部に設置されており、例えば、測定者は測定器具の前方や側方から手の長さ測定部具に手を伸ばし、手の長さを測定することができる。
【００１２】また前記の測定器具において、手の長さ測定部は手のひら載置部から立設された手首の支持部を有し、手首の支持部が手のひら載置部へ下降する傾斜面である。すなわち、手の長さ測定部には手首の支持部があり、手首は手のひら載置部と一定の間隔を有する手首の支持部に支持され、また手首は少なくとも手のひら載置部へ下降する傾斜面である手首の当接部に当接される。
【００１３】また前記の測定器具において、踵当て部が背丈部の一部として背丈部に含まれている。すなわち、踵当て部は独立の存在ではなく、身長測定部の背丈部の一部として背丈部に含まれる簡易な構造である。
【００１４】また前記の測定器具において、傾斜面である手首の当接部は手の長さの目盛部に臨み、手の長さの目盛部において、手の長さを測定する基準線が手首の当接部の下端縁に一致する位置又は近接して表示されている。すなわち手首の当接部の下端縁は目盛部の長さの基準線に臨むように配置され、手首を手首の当接部に当接して手のひら載置部に載置される。手のひらの基端部が長さの基準線に一致しているから、手にひらが目視できなくとも、手の長さが容易かつ正確に測定される。
【００１５】また前記の測定器具において、傾斜面である手首の当接部は手の長さの目盛部に対して凹陥する凹状の湾曲面により形成されている。すなわち目盛部に対して凹陥する凹状の湾曲面は、手首の手関節に関係する撓骨手根関節が楕円関節であるところから、手首が手首の当接部に円滑にまた安定して当接される。
【００１６】そして前記の測定器具において、手の長さの目盛部に対して凹陥する凹状の湾曲面は上端縁が下端縁より長くかつ上端縁から下端縁へ漸次短くなっている。すなわち凹状の湾曲面は上端縁から下端縁へと先細となる漏斗状の溝であるから、手首が手首の当接部に容易かつ安定して当接される。
【考案の効果】
【００１７】本考案の構成によれば、１つの測定器具で手の長さ、両足の同時測定を含む足の長さ、身長の全部又はそのいずれかが簡易かつ迅速に測定される。特に測定時に手のひらが目視できないことにより手の長さの正確な測定は難しいが、手の長さについても容易かつ正確に測定される。
【考案を実施するための最良の形態】
【００１８】以下に本考案を実施するための形態について図面を参照して説明する。図１は本考案の実施形態にかかる手の長さ、足の長さ及び身長の測定器具５０の全体斜視図であり、同測定器具５０は手の長さ測定部１と足の長さ測定部２１と身長測定部３１とを備える。手の長さ測定部１の表面には目盛部２と手形部３を表示した手のひら載置部５が設けてある。そして手のひらを手のひら載置部５に載置し、対応する目盛部２により手の長さを測定する。手のひらは手形部３に手のひらを合わせるようにして載置することができる。【００１９】足の長さ測定部２１には表面に目盛部２２と足形部２３を表示した足の載置部２５が設けてある。足の長さは足の載置部２５に足を載置して対応する目盛部２２により測定する。足を載置するとき足形部２３に足の裏を合わせるようにして載置する。また身長測定部３１には足の載置部２５に直交する方向、つまり足の載置部２５から垂直に延びる背丈部３５が立設され、背丈部３５の長手方向には目盛部３２が表示してある。目盛部３２は一定の間隔（例えば、１ｃｍｍ毎等）で表示され、足の載置部２５を基準として足の載置部２５の表面からの長さ（高さ）を示している。そこで足の載置部２５に両足を載置し、対応する目盛部３２により足の載置部２５上に位置する人の身長が測定される。なお身長を測定する際、頭頂部に当接される横長の補助判定部材（図示せず）を使用し、目盛部による頭頂部の位置、つまり身長を正確に判定してもよい。【００２０】手の形を表示した手形部３は手のひらを載置する位置を明示するものであり、測定者の手の大きさと必ずしも一致する必要はない。また同じ手形部３で左右いずれの手１６の大きさも測定することができる。足の形を表示した足形部２３は左右両足が並列し、この場合も足形部３３は測定者の足の大きさと必ずしも一致する必要はない。【００２１】手の長さ測定部１と足の長さ測定部２１の目盛部２、２２は直交する一定の間隔で表示された複数の長さの線と幅の線からなる格子状であり、例えば手、足の長さ方向には２ｃｍｍ間隔の長さの目盛線、また手、足の幅方向には１ｃｍｍ間隔の幅の目盛線を表示し、長さの目盛線と幅の目盛線で手の載置部５、足の載置部３５に載置された手、足の長さ、幅をそれぞれ測定する。なお手の長さ、足の長さ（広義）とは手、足の長さ（狭義）と手、足の幅の両者を含み、広義の手の長さ、足の長さの測定には手の長さと幅の測定、足の長さと幅の測定が含まれる。身長測定部３１では背丈部の目盛部３２により人の背丈である身長を測定する。【００２２】手の長さ測定部１は背丈部の前面部３６に設けてある。背丈部の前面部３６の一部がひら載置部５を構成しており、手のひら載置部５は背丈部３５と同様に足の載置部２５に対し垂直方向に位置している。手の長さ測定部１は背丈部３５の長手方向のほぼ中央の位置に設けてある。すなわち足の載置部２５から８０ｃｍ乃至１ｍ程の位置であり、この高さの場合手のひら載置部５に手のひらを容易に載置することができる。しかし手の長さ測定部１の位置は限定されず、背丈部の後面部を含め測定器具５０の任意の位置、高さに１個以上設けることができる。【００２３】手の長さ測定部１の手のひら載置部５には手首の支持部６が立設されている。手首の支持部６は横長のほぼ直方体で背丈部３５の幅方向に配置され、背丈部の前面部３６に接着されている。手首の支持部７は手のひら載置部５と一定の間隔を保持して手首１０を支持するとともに、手首１０（全部又は少なくとも１部）が手首の当接部７に当接される。このような機能を有する以上、手首の支持部７は直方体に限定されない。【００２４】手首の支持部６は切欠による手首の当接部７を有し、手首の当接部７は手のひら載置部５へ下降する傾斜面である。手首１０は傾斜面である手首の当接部９に自然に当接され、手のひら１０も手のひら載置部５に安定して載置される。また傾斜面である手首の当接部７は目盛部２（または手形部３）に臨み、手の長さの目盛部２において、手の長さを測定する基準線９（手の長さがゼロの基準線）が手首の当接部の下端縁１３に一致する位置又は近接して表示されている。すなわち手首の当接部の下端縁１３が目盛部２の長さの基準線９に対応している。そこで手首の当接部の上端縁１２に沿い手首１０を手首の当接部９に当接すると、手のひらは、手首１０に続く手のひらの基端部が長さの基準線９とほぼ一致した状態で、手のひら載置部５に載置される。すなわち手首１０を手首の当接部７に当接して手のひらを手のひら載置部５に載置することにより手の長さが正確に測定される。【００２５】これを手骨の構造からみると、手首１０に対応する手関節１１には腕側の者骨と撓骨と手のひら側の手根骨（詳しくは月状骨、舟状骨、三角骨）との間の、内転、外転が可能な橈骨手根関節１５が関係し、橈骨手根関節１５により手首１０は当接部の上端縁１２を含む傾斜面である手首の当接部７に無理なく自然に当接される（図１２，１４参照）。すなわち手首を含む腕が手首の当接部７の傾斜面に沿って一定の角度で傾斜する一方、手のひらは平面である手のひら載置部５上に載置される。このように手首と手のひらの円滑な載置が可能であるから、例えば、手の長さ測定部１を背丈部の前面部３６に設けた場合、背丈部３５の前方又は側方に位置する測定者は腕を伸ばすとともに、手首の当接部７と手のひら載置部５に手首１０と手のひらを載置するだけで手１６の長さが容易に測定される。【００２６】また傾斜面である手首の当接部７は手の長さの目盛部２に対して凹陥する凹状の湾曲面により形成されている。手関節における橈骨手根関節１５は楕円関節である（図１２参照）ところから、手首１０が凹状の湾曲面である手首の当接部７への当接が自然でありかつ安定する。凹状の湾曲面はその幅方向の中央部が最も凹陥しているのがよい。また凹状の湾曲面は上端縁１２が下端縁１３より長くかつ上端縁１２から下端縁１３へ漸次短くなっているのが好ましい。すなわち手首の当接部７における凹状の湾曲面は全体的に先細の漏斗状の溝であり、これにより手首１０は手首の当接部７にさらに容易にかつ安定して当接される。【００２７】足の長さ測定部２１は足の載置部２５から立設された踵当て部２６を有し、足の載置部２５に載置された一対の足の踵を踵当て部２６を当接させ、目盛部２２により足の長さを測定する。なお図示の場合は踵当て部２６は背丈部３５の一部として背丈部３５に含まれている。【００２８】身長測定部３１には下端部にヒンジ等の回動する取り付け部を介して足の長さ測定部２１が連結され、足の長さ測定部２１が身長測定部３１に対して折り畳み可能である。なお手の長さ測定部、足の長さ測定部、身長測定部は檜等の木製であるが他の素材で構成しもよい。
【産業上の利用可能性】
【００２９】手の長さが簡易かつ正確に測定されるから、使用者の手のサイズに適合した手袋（通常の手袋、業務用手袋、各種スポーツ用の手袋等）の選択に有効であり、これらに関連する産業界での利用が可能である。左右の足のサイズ（長さと横幅）は正確には同じでなく、また朝と夕方ではそのサイズに違いがある。両足のサイズを同時に測定でき、使用者の足のサイズに適合した履物（通常の靴、各種スポーツ用の靴等）の選択に有効であり、これらに関連する産業界での利用が可能である。また身長とともに手と足のサイズを測定することにより、例えば、幼児や児童の生育・成長の状況を３つの観点から観察することができ有用であり、これらに関連する産業界での利用が可能である。
【図面の簡単な説明】
【００３０】
【図１】は本願考案にかかる測定器具（但し手と足の測定部の目盛部を省略）の斜視図である。
【図２】は同正面図である。
【図３】は同側面図である。
【図４】は足の長さと幅を示す説明図である。
【図５】は足の載置部を設けた足の長さ測定部を概念的に示す拡大平面図である。
【図６】は手の長さと幅を示す説明図である。
【図７】は手の長さの測定部を概念的に示す拡大平面図であるである。
【図８】は手首の支持部を設けた手の長さ測定部（但し手形部と目盛部を省略）を概念的に示す拡大平面図である。
【図９】は図８における目盛部側から見た手の長さ測定部（手のひら載置部と手首の支持部）を概念的に示す拡大図である。
【図１０】は手首の支持部を有する手の測定部の拡大側面図である。
【図１１】は同手の測定部を幅方向の中央部で切断した拡大断面図である。
【図１２】は手首と手首の支持部との位置関係を示す拡大平面図である。
【図１３】は平板上に手及び手首を載置した状態を手骨の構造で説明する側面図である。
【図１４】は手首の支持部を有する手の測定部に手及び手首を載置した状態を手骨の構造で説明する側面図である。
【図１５】は手の長さ測定部の手首の支持部を概念的に示す拡大平面図である。
【符号の説明】
【００３１】１    手の長さ測定部２    目盛部３    手形部５    手のひら載置部６    手首の支持部７    手首の当接部９    長さの基準線１０  手首１１  手関節１２  当接部の上端縁１３  当接部の下端縁１５  橈骨手根関節１６  手２１  足の長さ測定部２２  目盛部２３  足形部２５  足の載置部２６  踵当て部３１  身長測定部３２  目盛部３５  背丈部３６  背丈部の前面部５０  手の長さ、足の長さ及び身長の測定器具
【図１】
0003180868.tif 000003
【図２】
0003180868.tif 000004
【図３】
0003180868.tif 000005
【図４】
0003180868.tif 000006
【図５】
0003180868.tif 000007
【図６】
0003180868.tif 000008
【図７】
0003180868.tif 000009
【図８】
0003180868.tif 000010
【図９】
0003180868.tif 000011
【図１０】
0003180868.tif 000012
【図１１】
0003180868.tif 000013
【図１２】
0003180868.tif 000014
【図１３】
0003180868.tif 000015
【図１４】
0003180868.tif 000016
【図１５】
0003180868.tif 000017